(57)【要約】【課題】無線の出力強度を適切な強度に設定可能なカメラ本体を、提供することを目的とする。【解決手段】本カメラ本体は、交換レンズを装着可能である。本カメラ本体は、交換レンズ検出部と、レンズ情報認識部と、無線通信部と、出力制御部とを、備えている。交換レンズ検出部は、交換レンズがカメラ本体に装着されたか否かを、検出する。レンズ情報認識部は、交換レンズの装着状態に応じて、交換レンズに関するレンズ情報を、認識する。無線通信部は、カメラ本体の外部と無線通信を行う。出力制御部は、情報認識部におけるレンズ情報に基づいて、無線通信部の出力強度を制御する。【選択図】図２
2013207532.tif 000002
【特許請求の範囲】
【請求項１】
交換レンズを装着可能なカメラ本体であって、
前記交換レンズが前記カメラ本体に装着されたか否かを検出する交換レンズ検出部と、
前記交換レンズの装着状態に応じて、前記交換レンズに関するレンズ情報を、認識するレンズ情報認識部と、
前記カメラ本体の外部と無線通信を行う無線通信部と、
前記情報認識部における前記レンズ情報に基づいて、前記無線通信部の出力強度を制御する出力制御部と、
を備えるカメラ本体。
【請求項２】
前記交換レンズが前記カメラ本体に装着された場合、前記交換レンズに関するレンズ情報を、前記交換レンズから取得するレンズ情報取得部、
をさらに備え、
前記レンズ情報認識部は、前記レンズ情報取得部において取得された前記レンズ情報を、認識する、
請求項１に記載のカメラ本体。
【請求項３】
前記交換レンズが前記カメラ本体に未装着である場合、前記レンズ情報認識部は、前記交換レンズが前記カメラ本体に未装着であることを示す前記レンズ情報を、認識する、
請求項１又は２に記載のカメラ本体。
【請求項４】
前記交換レンズが前記カメラ本体に装着された場合、前記出力制御部は、前記レンズ情報取得部において取得された前記レンズ情報に基づいて（レンズの大きさに応じて）、前記無線通信部の出力強度が、所定の基準出力強度、又は前記基準出力強度より低い出力強度になるように、前記無線通信部の出力強度を、制御する、
請求項１から３のいずれかに記載のカメラ本体。
【請求項５】
前記交換レンズが前記カメラ本体に未装着であると前記交換レンズ検出部が判断した場合、前記無線通信部の出力強度が、所定の基準出力強度より低い出力強度になるように、前記出力制御部は、前記無線通信部の出力強度を制御する、
請求項１から４のいずれかに記載のカメラ本体。
【発明の詳細な説明】
【技術分野】
【０００１】
本発明は、カメラ本体、特に、交換レンズの装着状態に応じて無線の出力強度を自動変更可能なカメラ本体に関する。
【背景技術】
【０００２】
近年のデジタルカメラには、手動で無線の出力強度を変更可能なものがある（特許文献１を参照）。このデジタルカメラでは、ズーム操作部が操作されると、レンズが広角であるか否かに応じて、無線の出力強度が変更される。
【先行技術文献】
【特許文献】
【０００３】
【特許文献１】特開２００７−１５０５９６号公報
【発明の概要】
【発明が解決しようとする課題】
【０００４】
従来のデジタルカメラでは、無線の出力強度が、手動で変更されるようになっていた。このように、無線の出力強度が手動で変更される場合、出力強度が人為的に調整されるので、出力強度を適切に設定しづらいという問題があった。
一方で、レンズが交換可能である場合、レンズの装着状態によって、必要となる無線の出力強度は変化する。例えば、レンズ装着時には、レンズが通信の障害となり易いため、無線の伝達効率が低下する。一方で、レンズ未装着時には、レンズによる通信障害が生じにくいので、無線の伝達効率が向上する。しかしながら、従来技術では、このような事項を考慮した設計になっておらず、無線の出力強度が一定で管理されていた。このため、電源を効率的に利用できていないおそれがあった。
【０００５】
本発明は、上記のような問題に鑑みてなされたものであり、本発明の目的は、無線の出力強度を適切な強度に設定可能なカメラ本体を、提供することにある。
【課題を解決するための手段】
【０００６】
本発明のカメラ本体は、交換レンズを装着可能である。本カメラ本体は、交換レンズ検出部と、レンズ情報認識部と、無線通信部と、出力制御部とを、備えている。交換レンズ検出部は、交換レンズがカメラ本体に装着されたか否かを、検出する。レンズ情報認識部は、交換レンズの装着状態に応じて、交換レンズに関するレンズ情報を、認識する。無線通信部は、カメラ本体の外部と無線通信を行う。出力制御部は、情報認識部におけるレンズ情報に基づいて、無線通信部の出力強度を制御する。
【発明の効果】
【０００７】
本発明のカメラ本体では、無線の出力強度を適切な出力強度に容易に設定できる。
【図面の簡単な説明】
【０００８】
【図１】本実施形態に係るデジタルカメラの概略構成図
【図２】交換レンズの装着状態に応じて無線出力強度を自動調節する処理を説明するためのフローチャート。
【図３】レンズ情報と出力強度との関係を示すテーブル図。
【発明を実施するための形態】
【０００９】
〔実施の形態〕
以下、図１−３を用いて本実施の形態に係るデジタルカメラ１の構成及び動作について説明する。
〔１．デジタルカメラの構成〕
以下、デジタルカメラ１の構成について説明する。デジタルカメラ１の概要を説明する。図１はデジタルカメラ１の概略構成図である。デジタルカメラ１は、レンズ交換式のデジタルカメラであり、主に、カメラボディ３（撮像装置の一例）と、カメラボディ３に取り外し可能に装着された交換レンズ２とを備えている。
【００１０】
〔１−１．交換レンズの構成〕
交換レンズ２は、レンズマウント９５を介して、カメラボディ３の前面に設けられたボディマウント４に、装着されている。レンズ側通信部９１とボディ側通信部５により、レンズマイコン４０とボディマイコン１０との通信が可能となっている。
交換レンズ２は、対物レンズ群Ｇ１（不図示）、補正レンズ群Ｇ３（不図示）、ズームレンズ群Ｇ２及び、複数のフォーカスレンズ群Ｇ４，Ｇ５を有しており、フォーカスレンズ群Ｇ４，Ｇ５を光軸方向にそれぞれ移動することで撮影距離（物体距離）を変更する。また、各フォーカスレンズ群は各フォーカスモータ６４、６５により移動可能であり、レンズマイコン４０の指示によりフォーカスレンズ駆動制御部４１を介してそれぞれ独立駆動が可能となっている。また、ズームレンズ群Ｇ２は、ズームモータ６３により移動可能であり、レンズマイコン４０の指示により、ズームレンズ駆動制御部４２を介して駆動が可能となっている。
【００１１】
なお、レンズマイコン４０には、図示しないメモリが、含まれている。
〔１−２．カメラボディの構成〕
カメラボディ３の概略構成について説明する。カメラボディ３は、ボディマウント４と、交換レンズ２との通信を行うボディ側通信部５とを、有している。また、カメラボディ３は、ボディマイコン１０、画像処理エンジン１００、撮像センサ駆動制御部１２、撮像センサ３５、画像表示制御部２１、画像表示部２０、電源２４、無線モジュール２５、タッチパネル３７、メモリカード１３０を着脱可能なカードスロット（不図示）、内蔵マイク１２０、静止画撮影操作ボタン３０、動画撮影操作ボタン１１０、及びメニュー操作ボタン３９を、有する。
【００１２】
ボディ側通信部５とレンズ側通信部９１は、互いにデータの送受信が可能である。通信データの例として、レンズ固有データ（レンズ属性情報（レンズ情報の一例）：交換レンズ２の識別情報、交換レンズ２のズーム動作がカメラボディから制御可能であるかどうか等を判別するための情報）、フォーカス駆動制御信号、ズーム駆動制御信号、露光同期信号、動画記録中であるか否かを示す情報、静音優先が設定されているか否かを示す情報等がある。識別情報の一例としては、管理情報例えば品番等がある。
【００１３】
ボディマイコン１０は、ボディ側通信部５及びレンズ側通信部９１を介して、上記の通信データを取得することにより、各種制御信号を生成する。例えば、ボディマイコン１０は、レンズ属性情報をレンズマイコン４０から取得する。これにより、ボディマイコン１０は、レンズ属性情報に基づいて、カメラを動作させるカメラ制御信号を、生成する。なお、ボディマイコン１０には、図示しないメモリが含まれている。
【００１４】
撮像センサ３５は、交換レンズ２の光学系を介して形成される光学的な像を、電気的な信号に変換することによって、画像データを生成するセンサである。撮像センサ３５は、撮像センサ駆動制御部１２から発生されるタイミング信号により、駆動制御される。撮像センサ３５が生成した画像データは、画像処理エンジン１００へと供給され、様々な画像処理が行われる。
【００１５】
画像処理エンジン１００は、撮像センサ３５から供給された画像データに対して、様々な画像処理を実行する。画像処理には、ＹＣ変換処理、ホワイトバランス補正処理、ガンマ補正処理、画像拡大・縮小処理、画像の圧縮・縮小処理、コントラスト値を検出することによる合焦判定処理等が、含まれる。画像処理エンジン１００により処理された画像データは、メモリカード１３０に記録されたり、画像表示制御部２１を介して画像表示部２０に表示されたりする。
【００１６】
画像表示部２０は、画像表示制御部２１からの命令に基づいて、ライブモニタ画像や、メモリカード１３０に記録された画像などを再生表示する。
タッチパネル３７は、画像表示部２０の表面に重ねて配置される。タッチパネル３７は、表示画面に直接触れることにより、カメラの操作を可能とする。画像表示制御部２１は、種々のタッチ操作用に、例えば、グラフィカル・ユーザ・インターフェイス（以下：ＧＵＩ）を、画面表示部２０に表示する。
【００１７】
内蔵マイク１２０は、動画撮影時に、音を電気的な信号に変換するものである。図には記載していないが、デジタルカメラ１は、外部マイクも接続可能となっている。外部マイクは指向性に優れ、交換レンズ２の駆動部が発する騒音や、カメラボディ３が発する騒音を録画され難いような構成となっている。その為、外部マイクが接続された際には、内蔵マイク１２０は使用せず、外部マイクを使用してもよい。動画撮影時においては、ボディマイコン１０は、撮像センサ３５により撮像された動画像データ、及び内蔵マイク１２０により集音されデジタル変換された音声データを、所定のフォーマット形式を用いて多重化処理を行い、動画像ファイルとしてメモリカード１３０に記録する。
【００１８】
メモリカード１３０は、撮像センサ３５により生成された静止画像データや動画像データを保存する。ボディマイコン１０は、不図示のカードスロットを介して、メモリカード１３０への各種データの保存処理及び読み出し処理を実行可能である。
カメラボディ３の上面には、静止画撮影操作ボタン３０（シャッターボタン）や、動画撮影操作ボタン１１０が設けられており、ボタン操作により各撮影モードが実行される。静止画撮影操作ボタン３０は、浅く押下した半押し状態と、深く押下した全押し状態とに、押下可能である。使用者が静止画撮影操作ボタン３０を半押しすると、ボディマイコン１０は、被写体に合焦するように、フォーカスレンズをオートフォーカス制御する。そして、使用者が静止画撮影操作ボタン３０を全押しすると、静止画撮影操作ボタン３０の押下のタイミングに応じて、静止画像データが生成される。すると、この静止画像データは、メモリカード１３０に記録される。また、使用者が動画撮影操作ボタン１１０を全押しすると、ボディマイコン１０は、内蔵マイク１２０による音声データの生成と、撮像センサ３５による記録用動画像データの生成を開始する。すると、動画像ファイルが、メモリカード１３０に記録される。すなわち、使用者による動画撮影操作ボタン１１０の操作を受けつけると、ボディマイコン１０は、動画記録のための各種動作を実行する。
【００１９】
使用者は、メニュー操作ボタン３９及びタッチパネル３７を操作することにより、様々なカメラ設定が可能である。
ボディマイコン１０は、カメラボディ３の中枢を司る制御装置である。静止画撮影操作ボタン（シャッターボタン）３０、動画撮影操作ボタン１１０、メニュー操作ボタン３９、及びタッチパネル３７等の少なくとも１つが、使用者により操作されたことを、ボディマイコン１０は検知する。また、ボディマイコン１０は、交換レンズ２がカメラボディ３に装着されたことを検知する機能、及び／又は交換レンズ２から像倍率変化情報や焦点距離情報、レンズ属性情報などのデジタルカメラ１を制御する上で必要な情報を取得する機能を、有している。更に、ボディマイコン１０は、レンズマイコン４０に対して、ズームレンズ群Ｇ２、フォーカスレンズ群Ｇ４、Ｇ５を制御するための制御信号を、通知する。
【００２０】
電源２４は、交換レンズ２の内部及びカメラボディ３の内部の各デバイスに、電力を供給する。電源２４は、カメラボディ３に内蔵されている。なお、図１では、図を簡略化するために、電源２４と各デバイスとの間の関係を示す矢印は省略している。
無線モジュール２５は、外部機器と無線通信を行う制御装置である。無線モジュール２５は、電波を送受信するアンテナ２５ａと、無線コントローラ２５ｂとを、有している。無線コントローラ２５ｂは、ボディマイコン１０と通信する。また、無線モジュール２５は、アンテナからの電波を送信する際に要する電力（アンテナ送信電力）を制御する機能を、有している。無線モジュール２５のアンテナ送信電力を上げると、電波出力が強くなり、外部機器との通信距離が伸びるが、電源２４の消費電力は増加する。無線モジュール２５のアンテナ送信電力を下げると、電波出力が弱くなり、外部機器との通信距離が低下し、電源２４の消費電力は低減する。
【００２１】
〔２．デジタルカメラの機能〕
本カメラボディ３は、交換レンズ２を装着可能である。本カメラボディ３は、交換レンズ検出部５０と、レンズ情報取得部５１と、レンズ情報認識部５２と、無線モジュール２５（無線通信部の一例）と、出力制御部５４とを、備えている。
交換レンズ検出部５０は、交換レンズ２がカメラボディ３に装着されたか否かを検出する。具体的には、レンズマウント９５がボディマウント４に装着され、ボディマイコン１０が、レンズ側通信部９１とボディ側通信部５とが通信可能であると検知した場合、ボディマイコン１０は、交換レンズ２がカメラボディ３に装着されたと判断する。
【００２２】
レンズ情報取得部５１は、交換レンズ２がカメラボディ３に装着された場合、交換レンズ２に関するレンズ属性情報を、交換レンズ２から取得する。具体的には、交換レンズ２がカメラボディ３に装着された場合、ボディマイコン１０が、レンズマイコン４０に対して、レンズ属性情報の送信を要求する。すると、レンズマイコン４０は、レンズマイコン４０のメモリ（図示しない）に格納されたレンズ属性情報を、ボディマイコン１０に送信する。すると、このレンズ属性情報は、ボディマイコン１０のメモリ（図示しない）に格納される。
【００２３】
なお、本実施形態では、レンズマイコン４０及び／又はボディマイコン１０が、メモリを有している場合の例を示しているが、メモリは、レンズマイコン４０及び／又はボディマイコン１０とは別に用意するようにしてもよい。
レンズ情報認識部５２は、交換レンズ２の装着状態に応じて、交換レンズ２に関するレンズ属性情報を、認識する。
【００２４】
具体的には、交換レンズ２がカメラボディ３に装着された場合、ボディマイコン１０は、レンズ情報取得部５１において取得されたレンズ属性情報を、ボディマイコン１０のメモリから読み出し認識する。一方で、交換レンズ２がカメラボディ３に未装着である場合、ボディマイコン１０は、交換レンズ２が未装着であることを示す情報を、レンズ属性情報としてボディマイコン１０のメモリから読み出し認識する。
【００２５】
無線モジュール２５は、カメラボディ３の外部と無線通信を行う。具体的には、無線コントローラが、通信命令をボディマイコン１０から受け取ると、無線コントローラは、この通信データを制御して、アンテナから通信データを送信する。
出力制御部５４は、情報認識部におけるレンズ属性情報に基づいて、無線モジュール２５の出力強度を制御する。具体的には、ボディマイコン１０が交換レンズ２の装着を検出した場合、ボディマイコン１０は、交換レンズ２から取得されたレンズ属性情報に基づいて、無線モジュール２５の出力強度を、設定する。この場合、ボディマイコン１０は、無線モジュール２５の出力強度が、所定の基準出力強度又はこの基準出力強度より低い出力強度になるように、無線モジュール２５の出力強度を、設定する。ここでは、所定の基準出力強度が、例えば、無線モジュール２５における最大の出力強度に設定されている。
【００２６】
一方で、ボディマイコン１０が交換レンズ２の未装着を検出した場合、ボディマイコン１０は、無線モジュール２５の出力強度が所定の基準出力強度より低い出力強度になるように、無線モジュール２５の出力強度を、設定する。
このように、ボディマイコン１０が、無線モジュール２５の出力強度を設定することによって、無線モジュール２５が制御される。無線モジュール２５の出力強度の制御は、ボディマイコン１０が無線モジュール２５に通信命令を発行することによって、実行される。例えば、この通信命令に基づいて、無線モジュール２５は、出力強度に対応するアンテナ送信電力を、設定する。そして、無線モジュール２５は、このアンテナ送信電力を用いて、外部とデータ通信を行う。
【００２７】
〔３．デジタルカメラの動作〕
以下では、デジタルカメラ１の動作について説明する。図２は、カメラボディに対する交換レンズの装着状態に応じて無線の出力強度を自動調節する処理を示すフローチャートである。
まず、無線機能が有効であるか否かを、ボディマイコン１０が判定する。（Ｓ１０）例えば、ユーザーがメニュー操作ボタン３９を押下した場合、及びタッチパネル３７を操作した場合等には、ボディマイコン１０は、無線機能が有効状態になったと、判定する。ここで、無線機能が有効になった場合、ボディマイコン１０は、無線モジュール２５の出力強度が最大になるように、デフォルトの出力強度を設定する（Ｓ１１）。
【００２８】
なお、ボディマイコン１０は、無線が有効になったか否かを、常に監視している。この事項を、無線が無効である場合（Ｓ１０でＮｏ）に対応させている。
次に、交換レンズ２が装着されたか否かを、ボディマイコン１０は判断する（Ｓ１２）。ここで、交換レンズが装着されていない場合（S１２でＮｏ）、後述のＳ１４の処理が実行される。ここで、交換レンズ２が装着されたと判断された場合（Ｓ１２でＹｅｓ）、ボディマイコン１０は、装着された交換レンズ２から、レンズ属性情報を取得する（Ｓ１３）。言い換えると、交換レンズ２は、レンズ属性情報を、ボディマイコン１０に通知する。レンズ属性情報には、交換レンズ２の識別情報（識別番号）が、含まれている。
【００２９】
続いて、ボディマイコン１０は、レンズ属性情報を認識する（Ｓ１４）。例えば、交換レンズが装着されていない場合（S１２でＮｏ）、ボディマイコン１０は、所定のレンズ属性情報を、ボディマイコン１０のメモリから読み出し認識する。所定のレンズ属性情報は、交換レンズが装着されていない場合に用いられるデフォルト情報である。この所定のレンズ属性情報は、ボディマイコン１０のメモリに予め格納されている。
【００３０】
一方で、交換レンズ２が装着されたと判断された場合（Ｓ１２でＹｅｓ）、ボディマイコン１０は、交換レンズ２から取得したレンズ属性情報を、ボディマイコン１０のメモリから読み出し認識する。
続いて、ボディマイコン１０は、交換レンズ２の識別情報に基づいて、出力強度を決定する（Ｓ１５）。具体的には、装着された交換レンズ２が、無線性能（無線の通信速度及び通信可能距離等）に影響を及ぼす構成である場合、ボディマイコン１０は、デフォルト設定した出力強度を、出力強度に設定する。一方で、装着された交換レンズ２が、無線性能に影響を及ぼさない構成である場合、ボディマイコン１０は、装着された交換レンズ２の構成に応じて、出力強度を変更する。具体的には、ボディマイコン１０は、装着された交換レンズ２の構成に応じて、出力強度を低下させる。
【００３１】
より具体的には、ボディマイコン１０に含まれるメモリには、交換レンズ２の識別情報と出力強度との対応関係を示すデータテーブルが、格納されている。このデータテーブルは、交換レンズ２が無線性能に影響を及ぼすか否かに基づいて、作成されている。
例えば、図３に示すように、データテーブルは、交換レンズ２が無線性能に影響を及ぼす構成であるか否かによって、出力強度が変化するように、設定されている。例えば、レンズが無線性能に影響を及ぼす構成である場合（図３のＡ，Ｂ，Ｃの場合）、この構成（識別情報）の出力強度が、最大出力強度（デフォルトの出力強度）になるように、データテーブルは設定されている。図３では、最大出力強度が「１０」で表現されている。
【００３２】
一方で、交換レンズ２が電波に影響を与えにくい構成である場合（図３のＤ，Ｅ，Ｆの場合）、この構成（識別情報）の出力強度が、上記の最大出力強度より小さくなるように、データテーブルは設定されている。この場合の出力強度は、図３では「５」で表現されている。
また、交換レンズ２が装着されていない場合、例えば図３のＸの場合も、この構成（識別情報）の出力強度が、上記の最大出力強度より小さくなるように、データテーブルは設定されている。この場合の出力強度は、図３では「５」で表現されている。
【００３３】
ここで、レンズの大きさを特定するためのレンズ特定情報が、識別情報に含まれるようにしてもよい。
この場合、ボディマイコン１０が、交換レンズ２の装着を検出し、レンズ特定情報（識別情報）に基づいて交換レンズ２の大きさが所定の大きさ以上であると判断した場合（図３のＡ，Ｂ，Ｃの場合）、ボディマイコン１０は、無線モジュール２５の出力強度が、所定の基準出力強度になるように、無線モジュール２５の出力強度を設定する。
【００３４】
また、ボディマイコン１０が、交換レンズ２の装着を検出し、レンズ特定情報に基づいて交換レンズ２の大きさが所定の大きさ未満であると判断した場合（図３のＤ，Ｅ，Ｆの場合）、ボディマイコン１０は、無線モジュール２５の出力強度が、基準出力強度より低い出力強度になるように、無線モジュール２５の出力強度を設定する。
なお、ボディマイコン１０が、交換レンズ２の装着を認識したにもかかわらず、交換レンズ２の識別情報をデータテーブル上から検出できなかった場合、すなわち不明な識別情報が検出された場合、出力強度は最大の出力強度に設定される。
【００３５】
続いて、上記のように出力強度が設定されると、ボディマイコン１０は、この出力強度を、無線モジュール２５に通知する（Ｓ１６）。すると、この出力強度に基づいて、無線コントローラ２５ｂが、出力強度に対応するアンテナ送信電力を、設定する（S１７）。すると、このアンテナ送信電力を電源２４から受け取り、このアンテナ送信電力を用いて、外部とデータ通信を行う（S１８）。図２では、データ通信が終了した場合に、表現上、フローチャートを終了させているが、実際には、Ｓ１０−Ｓ１８の処理が繰り返し実行されている。
【００３６】
なお、上述した本実施形態では、「出力強度」という文言が、「強度」という意味で用いられる場合と、「強度を示す情報」という意味で用いられる場合とがある。このように、「出力強度」という文言は、必要に応じて、適切に解釈可能である。
〔４．まとめ〕
（４−１）本カメラボディ３は、交換レンズ検出部５０と、レンズ情報認識部５２と、無線モジュール２５と、出力制御部５４とを、備えている。交換レンズ検出部５０は、交換レンズ２がカメラボディ３に装着されたか否かを、検出する。レンズ情報認識部５２は、交換レンズ２の装着状態に応じて、交換レンズ２に関するレンズ属性情報を、認識する。無線モジュール２５は、カメラボディ３の外部と無線通信を行う。出力制御部５４は、レンズ情報認識部５２におけるレンズ属性情報に基づいて、無線モジュール２５の出力強度を制御する。
【００３７】
本カメラボディ３は、交換レンズ２の装着状態に応じたレンズ属性情報に基づいて、無線モジュール２５の出力強度を制御することができる。すなわち、本カメラボディ３では、交換レンズ２の装着状態及び交換レンズ２の種類（識別情報）に応じて、無線モジュール２５の出力強度を適切に設定することができる。これにより、電源を効率的に利用することができる。
【００３８】
（４−２）本カメラボディ３は、レンズ情報取得部５１を、さらに備えている。レンズ情報取得部５１は、交換レンズ２がカメラボディ３に装着された場合、交換レンズ２に関するレンズ属性情報を、交換レンズ２から取得する。この場合、レンズ情報認識部５２は、レンズ情報取得部５１において取得されたレンズ属性情報を、認識する。
本カメラボディ３では、交換レンズ２がカメラボディ３に装着された場合、交換レンズ２に関するレンズ属性情報を、交換レンズ２から取得するので、交換レンズ２の種類（識別情報）に応じて、無線モジュール２５の出力強度を、適切且つ確実に設定することができる。これにより、電源を効率的に利用することができる。
【００３９】
（４−３）本カメラボディ３では、交換レンズ２がカメラボディ３に未装着である場合、レンズ情報認識部５２は、交換レンズ２がカメラボディ３に未装着であることを示すレンズ属性情報を、認識する。
本カメラボディ３では、交換レンズ２がカメラボディ３に未装着である場合、この事項を特定するためのレンズ属性情報を、レンズ情報認識部が認識することによって、交換レンズ２の装着状態に応じて、無線モジュール２５の出力強度を、適切且つ確実に設定することができる。これにより、電源を効率的に利用することができる。
【００４０】
（４−４）本カメラボディ３では、交換レンズ２がカメラボディ３に装着された場合、出力制御部５４は、レンズ情報取得部５１において取得されたレンズ属性情報に基づいて、無線モジュール２５の出力強度が、所定の基準出力強度又は基準出力強度より低い出力強度になるように、無線モジュール２５の出力強度を、制御する。
本カメラボディ３では、交換レンズ２がカメラボディ３に装着された場合、レンズ属性情報に基づいて、無線モジュール２５の出力強度が、所定の基準出力強度、又は基準出力強度より低い出力強度に設定される。これにより、本カメラボディ３では、交換レンズ２の種類に応じて、出力強度を下げることができる。すなわち、交換レンズ２の種類に応じて、消費電力を抑えることができる。
【００４１】
（４−５）本カメラボディ３では、交換レンズ２がカメラボディ３に未装着であると交換レンズ検出部５０が判断した場合、無線モジュール２５の出力強度が、所定の基準出力強度より低い出力強度になるように、出力制御部５４は、無線モジュール２５の出力強度を制御する。
本カメラボディ３では、交換レンズ２がカメラボディ３に未装着である場合、無線モジュール２５の出力強度が、所定の基準出力強度より低い出力強度に設定される。これにより、本カメラボディ３では、無線性能に影響を与える物、すなわち交換レンズ２が未装着である場合、出力強度を下げることによって、消費電力を抑えることができる。なお、交換レンズ２が未装着である場合、無線性能に影響を与える物（交換レンズ２）が存在しないので、出力強度を下げたとしても、無線通信に必要な性能は、十分に確保することができる。
【００４２】
（４−６）本カメラボディ３では、レンズ属性情報は、交換レンズ２の大きさを特定するためのレンズ特定情報（識別情報）を、含んでいる。この場合、交換レンズ２がカメラボディ３に装着されたと交換レンズ検出部５０が判断し、出力制御部５４が、レンズ特定情報に基づいて交換レンズ２の大きさが所定の大きさ以上であると判断した場合に、無線モジュール２５の出力強度が、所定の基準出力強度になるように、出力制御部５４は、無線モジュール２５の出力強度を制御する。一方で、交換レンズ２がカメラボディ３に装着されたと交換レンズ検出部５０が判断し、出力制御部５４が、交換レンズ２の大きさが所定の大きさ未満であると判断した場合に、無線モジュール２５の出力強度が、基準出力強度より低い出力強度になるように、出力制御部５４は、無線モジュール２５の出力強度を制御する。
【００４３】
本カメラボディ３では、交換レンズ２の大きさに応じて、出力強度を下げることができる。すなわち、交換レンズ２の大きさに応じて、消費電力を抑えることができる。
〔他の実施形態〕
本発明の実施形態は、前述の実施形態に限られず、本発明の趣旨を逸脱しない範囲で種々の修正及び変更が可能である。また、前述の実施形態は、本質的に好ましい例示であって、本発明、その適用物、あるいはその用途の範囲を制限することを意図するものではない。
【００４４】
（Ａ）上記実施の形態では、交換レンズ２の装着が確実に判別可能であることを前提としている。しかしながら、装着判別が不能であるような交換レンズ、例えばカメラボディ３より後に発売された交換レンズや、レンズ側通信部９１を有しない交換レンズ等が、カメラボディ３に接続された場合は、ボディマイコン１０は、レンズ非装着と判定する。この場合は、出力強度を、所定の値、例えば最大に設定することによって、装着判別が不能な交換レンズに対しても、本技術を対応させることができる。
【００４５】
（Ｂ）上記実施の形態では、カメラボディ３に装着される外部機器は交換レンズ２のみを対象としているが、本技術の対象は、交換レンズ２だけでなく、他の機器であってもよい。例えば、ストロボやマイクなどの外部機器も、交換レンズ２と同様に、無線性能に影響を及ぼす可能性がある。このため、無線性能が悪化する可能性がある外部機器が装着された場合には、出力強度を最大に設定し、何も装着してない場合には、出力強度を比較的小さく設定することによって、本技術を、様々な外部機器に対して適用することができる。
【００４６】
（Ｃ）上記実施の形態では、アンテナ送信電力を報知する機能を、カメラボディ３が有していない場合の例を示したが、この機能をカメラボディ３に実装するようにしてもよい。例えば、カメラボディ３に対して、特定の操作が実行された場合に、送信電力設定値を画面表示部２０に表示するようにしてもよい。
（Ｄ）上記実施の形態では、装着された交換レンズ２の構成に応じて、出力強度が二段階に設定される場合の例を示した（図３を参照）。これに代えて、装着された交換レンズ２の構成（無線性能に影響を及ぼす程度）に応じて、出力強度を多段階に設定するようにしてもよい。また、装着された交換レンズ２の構成（無線性能に影響を及ぼす程度）に応じて、出力強度を、所定の計算式に基づいて、設定するようにしてもよい。
【産業上の利用可能性】
【００４７】
本発明は、カメラ本体に広く適用可能である。
【符号の説明】
【００４８】
１  デジタルカメラ
２  交換レンズ
３  カメラボディ
４  ボディマウント
５  ボディ側通信部
１０  ボディマイコン
２５  無線モジュール（無線通信部）
４０  レンズマイコン
９１  レンズ側通信部
９５  レンズマウント
５０  交換レンズ検出部
５１  レンズ情報取得部
５２  レンズ情報認識部
５４  出力制御部
【図１】
2013207532.tif 000003
【図２】
2013207532.tif 000004
【図３】
2013207532.tif 000005